(57)【要約】      （修正有）【課題】余分な部材を付加することなく製造コストを抑え、スタンドと携帯とを容易に行えるメガネスタンド兼用メガネケースを提供する。【解決手段】メガネスタンド兼用メガネケースは、長方形の一つの短辺１ａを山形に形成した本体部１を可撓性材料で構成し、他方の短辺側に沿って所要幅の可撓性材料からなる補強部材２を縫着し、該補強部材の中間部にメガネの一部を保持させる保持用突出部５を設け、両短辺の中央部で山形の短辺では内側面に保持用突出部側では外側面に係止部材３ａ，３ｂをそれぞれ設ける。さらに、該係止部材は保持用突出部を外側と内側とになるように係合でき、前記保持用突出部を内側にして係止部材を係合させる時にはケースとして使用でき、保持用突出部を外側にして係止部材を係合させる時にはスタンドとして使用できるように構成した。【選択図】図３
0003167042.tif 000002
【実用新案登録請求の範囲】
【請求項１】
長方形の一つの短辺を山形に形成した本体部を可撓性材料で構成し、
他方の短辺側に沿って所要幅の可撓性材料からなる補強部材を縫着し、
該補強部材の中間部にメガネの一部を保持させる保持用突出部を設け、
両短辺の中央部で山形の短辺側では内側面に、保持用突出部側では外側面に係止部材をそれぞれ設け、
該係止部材は保持用突出部を外側と内側とになるように係合でき、前記保持用突出部を内側にして係止部材を係合させる時にはケースとして使用でき、保持用突出部を外側にして係止部材を係合させる時にはスタンドとして使用できるように構成したこと
を特徴とするメガネスタンド兼用メガネケース。
【請求項２】
前記可撓性材料はレザーシート材であり、前記係止部材はベルクロファスナーであること
を特徴とする請求項１に記載のメガネスタンド兼用メガネケース。
【請求項３】
前記補強部材に設けた保持用突出部は、長さ方向における両端部側と中央部とに一方の側縁から一連に突片を設けてほぼ山の字形に形成し、中央部の突片部分を縫着せずに内側となる面に突出させて形成したこと
を特徴とする請求項１に記載のメガネスタンド兼用メガネケース。
【考案の詳細な説明】
【技術分野】
【０００１】
本考案は、メガネを収納して携帯または保管できると共に、不使用時にメガネの存在が判るスタンドとして使用できるスタンド兼用メガネケースに関するものである。
【背景技術】
【０００２】
この種のメガネ用ケースとしては、複数のものが公知例として存在する。例えば、公知例１として、開口を有するほぼ半截円筒状又は筒状、角筒状或いは収容部などのメガネケースと、このメガネケースに設けた透孔と、前記メガネケースの下端に設けた物品載架皿と、前記メガネケースの裏面に設けた吸盤、接着層、接着材、磁石、係止部材等の取付手段と、で構成されているメガネ等ケースである（特許文献１）。
【０００３】
そして、この公知例１のメガネ等ケースでは、開口を有するメガネケースに透孔を開設するとともに、当該メガネケースの下端に物品載架皿を設ける構成であるので、メガネを簡易且つ確実に収容又は取出せる利点がある。殊に袈裟斬り状開口を設ける構成とすれば、メガネの収容又は取出しがより簡便になる。またメガネケース及び物品載架皿に透孔を開設する構成であるので、一般家庭、ホテル、その他の場所等の浴室でのしようにも便利であること、及び夏季等の発汗時の使用にも役立つこと、等の実用的な効果があるというものである。
【０００４】
公知例２としては、底面と側面とにより収納部が形成される第１ケース体と、上面と側面とにより収納部が形成される第２ケース体とを備え、前記第１ケース体に形成される前記収容部の開口部と前記第２ケース体に形成される前記収容部の開口部とは、略同一形状に形成され、前記第１ケース体の前記開口部および前記第２ケース体の前記開口部は、対向する位置に、前記第１ケース体と前記第２ケース体とを連結する回転部が設けられ、前記第１ケース体および／または前記第２ケース体の側面は、少なくともその一部に、第１ケース体と第２ケース体とを接合する接合手段、第１ケース体と第２ケース体とを接合する維持手段および取付手段のうち少なくとも一つを有し、前記接合手段、前記維持手段および前記取付手段は、磁石を含み、前記磁石により前記第１ケース体および／または前記第２ケース体を磁性体で形成された適宜な取付部に着脱自在に保持させる構成のスタンド機能付眼鏡ケースである（特許文献２）。
【０００５】
この公知例２のスタンド機能付眼鏡ケースでは、前記構成を有するので、携帯用眼鏡ケースとして利用でき、さらに卓上スタンドケースとして安定して利用でき、開口部の上部側には障害がないことから眼鏡等を収納し易く、磁石の作用により種々の取付部に保持させてケースとして利用することができるというものである。
【０００６】
さらに、公知例３としては、内側が凹曲に形成されたメガネ収容部の一側にメガネ収容部の上面開口を閉じる蓋体を枢着してメガネケースを形成すると共に、蓋体の外側中央に突出部を蓋体と一体に形成して、閉じた状態の蓋体の上にメガネを載せメガネ中央の架橋部を突出部の正面に位置した状態で左右のつるを突出部の後方で交差させてメガネを蓋体の上に載置してなるメガネスタンド兼用メガネケースである（特許文献３）。
【０００７】
この公知例３のメガネスタンド兼用メガネケースでは、メガネケースにメガネを収容できるだけでなく、掛けたメガネを外して突出部を利用して閉じた蓋体の上に安定して仮置きできるので、メガネスタンドとしても利用できるというものである。
【先行技術文献】
【特許文献】
【０００８】
【特許文献１】特開平９−２１５５１３号公報
【特許文献２】実用新案登録第３１２０８１４号公報
【特許文献３】実用新案登録第３１６４０９９号公報
【考案の概要】
【考案が解決しようとする課題】
【０００９】
前記公知例１に係るメガネ等ケースは、あくまでも半截円筒状のメガネケースと、その下端に設けた物品載架皿と裏面に設けた吸盤等の取付手段とからなる構成であるので、スタンドとしては適する構成であるが、特に、底面に物品載架皿が張り出しているため及び裏面に取付手段が設けられているため携帯には著しく不向きなものである。
【００１０】
また、前記公知例２に係るスタンド機能付眼鏡ケースは、要するに、第１ケース体と第２ケース体とを中間部で回転部により連結して直方体の眼鏡ケースを形成するものであって、実質的に第１ケース体が眼鏡ケース本体部で第２ケース本が蓋体を構成しており、第２ケース体を閉じた状態で携帯用眼鏡ケースとして利用され、第２ケース体を開いた状態で眼鏡スタンドとして利用されるものであるが、回転部によって連結されているので、施蓋状態が不安定であるため、磁性体と磁石による接合手段が設けられていることから、部品点数が多く異種部品の取り付けが厄介であり製造コストが高くなると共に、携帯時に胸の内ポケット等に入れて持ち歩いた時に、例えば、Ｙシャツのポケットに入れた磁気またはＩＣチップのカード類や定期券等の記録を変質させるばかりでなく、混んでいる電車でペースメーカを入れている人に接近すると悪影響を及ぼすという問題点を有している。
【００１１】
さらに、前記公知例３のメガネスタンド兼用メガネケースは、前記公知例２よりは問題点は少ないが、それでもメガネケースにおける蓋体の外側中央部に弾力に富む柔軟な材質で形成されている突出部を一体的に形成した構成であることからして、余分な材料と作業とを必要とするのでコスト高になるばかりでなく、突出部の形成によってメガネスタンドとしては好ましいと認められるが、メガネケースとして突出部を形成した分だけ嵩張ることになり、携帯時に例えば内ポケットに入れる場合でも他のカバンやハンドバッグ等に入れる場合でも余分な収納スペースが必要になり、他の収納物との間で制約を受けるという問題点を有している。
【００１２】
上記いずれの公知例においても、スタンドを兼用する場合には、必ず余計な部品または部材を付加しているのであり、それによっていずれもコスト高になると共に携帯時に種々の不都合や収納スペースに制約を受ける等の厄介な問題点を有している。
【００１３】
従って、前記従来技術に係るメガネスタンドまたはスタンド兼用のメガネケースにおいては、余分な部材を付加することなく製造コストを抑えて、しかも機能的にスタンドと携帯とを容易に行えるようにすることに解決課題を有している。
【課題を解決するための手段】
【００１４】
本考案は、長方形の一つの短辺を山形に形成した本体部を可撓性材料で構成し、他方の短辺側に沿って所要幅の可撓性材料からなる補強部材を縫着し、該補強部材の中間部にメガネの一部を保持させる保持用突出部を設け、両短辺の中央部で山形の短辺では内側面に保持用突出部側では外側面に係止部材をそれぞれ設け、該係止部材は保持用突出部を外側と内側とになるように係合でき、前記保持用突出部を内側にして係止部材を係合させる時にはケースとして使用でき、保持用突出部を外側にして係止部材を係合させる時にはスタンドとして使用できるように構成したことを特徴とするメガネスタンド兼用メガネケースを提供するものである。
【００１５】
また、本考案のメガネスタンド兼用メガネケースにおいて、前記可撓性材料はレザーシート材であり、前記係止部材はベルクロファスナーであること；および前記補強部材に設けた保持用突出部は、長さ方向における両端部側と中央部とに一方の側縁から一連に突片を設けてほぼ山の字形に形成し、中央部の突片を縫着せずに内側となる面に突出させて形成したこと、をさらに付加的な要件として含むものである。
【考案の効果】
【００１６】
本考案に係るメガネスタンド兼用メガネケースは、要するに、基本的に長方形のレザーシート等の可撓性材料で本体部を形成し、その本体部の一部を同質材料の補強部材で補強すると共にメガネの一部を保持する保持用突起を設けたもので、本体部を内側と外側とにリバーシブルに丸めて係止できる係止部材を設けたものであって、保持用突起を内側になるように丸めた時は携帯用メガネケースとして、保持用突起が外側になるように丸めた時はメガネスタンドとして利用できるのであり、従来例のように余分な部材を付加することなく構成が簡単でシンプルであることから製造コストを安価にすることができ、しかも機能的にリバーシブルで使用できることからスタンドと携帯とを容易に使い分けることができるという優れた効果を奏する。
【図面の簡単な説明】
【００１７】
【図１】本考案の１実施例に係るメガネスタンド兼用メガネケースを構成する部材を分離して示した平面図である。
【図２】同実施例の部材を組み込んだメガネスタンド兼用メガネケースの内側となる面を示した平面図である。
【図３】同実施例のメガネスタンド兼用メガネケースにメガネを収容する状況を示した斜視図である。
【図４】同実施例のメガネスタンド兼用メガネケースをメガネケースとして使用する例を示した斜視図である。
【図５】同実施例のメガネスタンド兼用メガネケースをメガネスタンドとして使用する例を示した背面側の斜視図である。
【図６】同実施例のメガネスタンド兼用メガネケースをメガネスタンドとして使用する例を示した正面側の斜視図である。
【考案を実施するための形態】
【００１８】
次に、本考案の実施の形態について図１〜図６を参照して説明する。図１は、本考案に係る一例のメガネスタンド兼用メガネケースを構成する部材を示した平面図であり、メガネスタンド兼用メガネケースは、可撓性の材料からなる本体部１と、該本体部１の一部を補強すると共にメガネを保持するための可撓性の材料からなる帯状または所要幅の補強部材２と、ケースとしての形状およびスタンドとしての形状を維持するための一対の係止部材３ａ、３ｂとからなるものである。
【００１９】
前記本体部１は、可撓性の材料として、例えば、略１ｍｍ厚さのレザーシート材が使用され、該レザーシート材を所要広さの長方形に形成し、該長方形の一方の短辺１ａを山形に形成したものであり、該山形に形成した短辺１ａ側がケースとしての蓋部材の役目をし、短辺１ｂ側がメガネの収納部の役目をする。また、レザーシート材の滑面である表面側をメガネケースとして外側となるようにし、レザーシート材の粗面である裏面側が内側となるように使用される。なお、可撓性材料として、例えば、樹脂系のシート材も使用できる。
【００２０】
帯状または所要幅の補強部材２は、前記本体部１と同様のレザーシート材が使用され、本体部１の幅よりも若干長く形成し、長さ方向における両端部側で一方の側縁（上縁側）から突片２ａ、２ｂを設けると共に、中央部にも突片２ｃを設け、該中央部の突片２ｃはデルタ状または剣先状に形成した方が好ましいし、該突片２ｃに対向する他方の側縁（底縁側）に浅い凹部２ｄを形成し、該凹部２ｄを中心にして両サイドが全体的に若干上方に持ち上がるように形成したものであり、補強部材２は前記突片２ａ、２ｂ、２ｃを一連に設けると共に凹部２ｄを設けたことにより全体としてほぼ山の字形に形成したものである。
【００２１】
係止部材３ａ，３ｂとしては、一対の雄型と雌型の長方形のベルクロファスナーを使用すると着脱操作が簡単に行えるので好ましいが、これに限定されることなく、例えば、雄型と雌型のホック部材等も使用可能である。
【００２２】
これら部品を一体的に接着または縫着手段により組み付けてメガネスタンド兼用メガネケースを構成するのであるが、好ましくはレザーシートからなる本体部１に対して縫着手段により一体化させる。この場合に、まず、本体部１に対して山形に形成した短辺１ａ側の中央部で内側となる面に係止部材３ａを縫着して取り付けると共に、本体部１の短辺１ｂ側の中央部で外側となる面に係止部材３ｂを縫着して取り付ける。
【００２３】
次に、本体部１の内側となる面の短辺１ｂの端縁に沿って補強部材２をセットし、該補強部材２の一方のコーナー部と突片２ａとを短辺１ｂ側の一方のコーナー部と側縁とにキチンと合わせて縫着し、続いて底縁と短辺１ｂの端縁と位置合わせして縫着するが、補強部材２の凹部２ｄに差し掛かった位置では凹部２ｄは短辺１ｂから上方（右側）にずれていて縫着できないがそのまま少し（５〜７針程度）縫着動作を続け、その後で補強部材２の他方のコーナー部と突片２ｂとを短辺１ｂ側の他方のコーナー部と側縁とにキチンと合わせた状態にすることで、本体部１の幅よりも長く形成した補強部材２の中央部分、即ち、突片２ｃと凹部２ｄが本体部１の内側となる面側に突出した状態になり、その状態を維持したまま突片２ｂまで縫着することにより、縫着されない凹部２ｄと突片２ｃ部分が内側となる面に突出した状態で補強部材２の底縁が縫着される。
【００２４】
そして、突片２ｂの縫着に連続させて本体部１の周縁部に沿って縫着スタート位置まで縫着動作を行うことによって、本体部１に化粧または装飾用のステッチ縫４を形成し、縫着スタート位置まで戻った状態で、補強部材２の上縁側、即ち、突片２ａから中央部の突片２ｃの付け根部分まで縁部に沿って本体部１に縫着して一旦縫着を中止し、内側に突出している突片２ｃは縫着せずに反対側の付け根部分から突片２ｂの上縁まで逢着することによって、凹部２ｄ並びに対向する突片２ｃ部分が本体部１の内側に突出した保持用突出部５となるのであり、図２に示したように、メガネスタンド兼用メガネケースが完成する。なお、可撓性材料として樹脂系のシート材を使用した場合には、縫着手段でなくて接着手段を使用することができる。
【００２５】
このように構成したメガネスタンド兼用メガネケースは、図３に示したように、拡げた状態にしておいて、メガネ６の一部である蔓７を閉じた状態にして、その蔓７を保持用突出部５に保持させた状態にして山形に形成した短辺１ａ側を、図４に示したように、内側に丸めて短辺１ｂを超えて係止部材３ａを係止部材３ｂに係止させることで、メガネ６が内側に安定した状態で包み込まれ、携帯できるようになるのである。この場合に、補強部材２が縫着された側は２重の厚みになるので、硬度が高く平面状態を維持すると共に、保持用突出部５の突出した高さが閉じたメガネ６の厚みに略対応しており、押し潰しに対抗して実質的にメガネ６を保護しており、山形に形成された短辺１ａ側が丸みをもってメガネ６を全面的にカバーする蓋の役目を果たすメガネケースになるのである。
【００２６】
上記とは逆に、メガネ６の蔓７を保持用突出部５に保持させた状態にして山形に形成した短辺１ａ側を外側に丸めて、図５に示したように、短辺１ｂ側の外側に設けた係止部材３ｂに係止部材３ａを係止させることで、図６に示したように、本体部１の内側が全面的に露出し、メガネ６が保持用突出部５に保持された状態で外側に位置して、丸まった短辺１ａ側が背面側に位置して接地するので安定した状態のメガネスタンドとなるのである。
【産業上の利用可能性】
【００２７】
いずれにしても本考案に係るメガネスタンド兼用メガネケースは、基本的には長方形のレザーシート等の可撓性材料で本体部１を形成し、その本体部１の一部を同質材料の補強部材２で補強すると共にメガネ６の一部を保持する保持用突起５を設けたもので、可撓性材料の本体部１を内側と外側とにリバーシブルに丸めて係止できる係止部材３ａ、３ｂを設けたものであって、保持用突起５を内側になるように丸めた時は携帯用メガネケースとして、保持用突起５が外側になるように丸めた時はメガネスタンドとして利用できるのであり、従来例のように余分な部材を付加することなくシンプルな構成であることから製造コストを安価にすることができ、しかも機能的にリバーシブルで使用できることからスタンドと携帯とを容易に行えるのであり、メガネの種類や大きさに関係なく広く利用できる可能性は大なのである。
【符号の説明】
【００２８】
１  本体部
１ａ  山形に形成した短辺
１ｂ  短辺
２  補強部材
２ａ、２ｂ、２ｃ  突片
２ｄ  凹部
３ａ、３ｂ  係止部材
４  ステッチ縫
５  保持用突出部
６  メガネ
７  蔓
【図１】
0003167042.tif 000003
【図２】
0003167042.tif 000004
【図３】
0003167042.tif 000005
【図４】
0003167042.tif 000006
【図５】
0003167042.tif 000007
【図６】
0003167042.tif 000008